(57)【要約】【課題】部品点数が少なく組立も容易になる内燃機関用マフラを得る。【解決手段】排気を内部に導く入口管８と、排気を外部に導く出口管１０とを備え、外周をシェル部材６で形成した。シェル部材６を偏平に形成した。また、入口管を反対側の側壁に突き当たるまで挿入すると共に、入口管８の外周両側にシェル部材６を接触させ、シェル部材６の内部を入口管８により仕切って共鳴室１２と拡張室１４とを形成した。シェル部材６は上シェル部材２と下シェル部材４とを重ね合わせて形成し、シェル部材６はプレス成形した。出口管１０をシェル部材６の内部の反対側の側壁の近傍に至るまで挿入すると共に、出口管１０の外周両側にシェル部材６を接触させた。【選択図】  図４
2006009739.tif 000002
【特許請求の範囲】
【請求項１】
排気を内部に導く入口管と、排気を外部に導く出口管とを備え、外周をシェル部材で形成された内燃機関用マフラにおいて、
前記シェル部材を偏平に形成し、かつ、前記入口管と前記出口管との少なくとも一方を少なくとも前記シェル部材の内部の反対側の側壁の近傍に至るまで挿入すると共に、その外周両側に前記シェル部材を接触させたことを特徴とする内燃機関用マフラ。
【請求項２】
前記入口管と前記出口管との両方を少なくとも前記シェル部材の内部の反対側の側壁の近傍に至るまで挿入すると共に、前記入口管と前記出口管との外周両側に前記シェル部材を接触させたことを特徴とする請求項１に記載の内燃機関用マフラ。
【請求項３】
前記入口管を反対側の側壁に突き当たるまで挿入すると共に、前記入口管の外周両側に前記シェル部材を接触させ、前記シェル部材の内部を前記入口管により仕切って共鳴室と拡張室とを形成したことを特徴とする請求項１または請求項２に記載の内燃機関用マフラ。
【請求項４】
前記シェル部材は上シェル部材と下シェル部材とを重ね合わせて形成したことを特徴とする請求項１ないし請求項３記載の内燃機関用マフラ。
【請求項５】
前記シェル部材はプレス成形されたことを特徴とする請求項１ないし請求項４記載の内燃機関用マフラ。
【発明の詳細な説明】
【技術分野】
【０００１】
本発明は、自動車の排気系に装着される内燃機関用マフラに関する。
【背景技術】
【０００２】
従来より、自動車の排気系には、内燃機関用マフラが設けられている。内燃機関用マフラには、特許文献１，２にあるように、外周をシェル部材により覆い、シェル部材の内部を複数の隔壁板により仕切って、拡張室や共鳴室等を形成し、入口管から内部に排気を導くと共に、出口管により排気を外部に導いていた。
【特許文献１】特開２００３−３８２０号公報
【特許文献２】特開２００３−１３８９３５号公報
【発明の開示】
【発明が解決しようとする課題】
【０００３】
しかしながら、こうした従来のものでは、シェル部材の内部を仕切るために、複数の隔壁板を設け、更に排気を導くための入口管や出口管を設けなければならず、部品点数が多く、重量が重くなり、しかも、組立が煩雑になるという問題があった。
【０００４】
本発明の課題は、部品点数が少なく組立も容易になる内燃機関用マフラを提供することにある。
【課題を解決するための手段】
【０００５】
かかる課題を達成すべく、本発明は課題を解決するため次の手段を取った。即ち、
排気を内部に導く入口管と、排気を外部に導く出口管とを備え、外周をシェル部材で形成された内燃機関用マフラにおいて、
前記シェル部材を偏平に形成し、かつ、前記入口管と前記出口管との少なくとも一方を少なくとも前記シェル部材の内部の反対側の側壁の近傍に至るまで挿入すると共に、その外周両側に前記シェル部材を接触させたことを特徴とする内燃機関用マフラがそれである。
【０００６】
前記入口管と前記出口管との両方を少なくとも前記シェル部材の内部の反対側の側壁の近傍に至るまで挿入すると共に、前記入口管と前記出口管との外周両側に前記シェル部材を接触させた構成としてもよい。また、前記入口管を反対側の側壁に突き当たるまで挿入すると共に、前記入口管の外周両側に前記シェル部材を接触させ、前記シェル部材の内部を前記入口管により仕切って共鳴室と拡張室とを形成した構成としてもよい。前記シェル部材は上シェル部材と下シェル部材とを重ね合わせて形成した構成としてもよく、前記シェル部材はプレス成形してもよい。
【発明の効果】
【０００７】
本発明の内燃機関用マフラは、シェル部材を入口管と出口管との少なくとも一方の外周に接触させたので、部品点数が少なく、重量を低減でき、また、組立も容易になるという効果を奏する。
【発明を実施するための最良の形態】
【０００８】
以下本発明を実施するための最良の形態を図面に基づいて詳細に説明する。
図１に示すように、１は内燃機関用マフラで、この内燃機関用マフラ１は、上シェル部材２と下シェル部材４とを重ね合わせて、外周をシェル部材６により形成された、いわゆる最中構造のものである。
【０００９】
本実施形態では、上シェル部材２と下シェル部材４とは、絞り加工によるプレス成形により形成されている。上シェル部材２と下シェル部材４とは、プレス形成により、周囲に平坦な縁部２ａ，４ａが残されて、窪まされ、両縁部２ａ，４ａを突き合わせて重ね合わせることにより、シェル部材６の内部に室が形成されている。
【００１０】
また、シェル部材６は、偏平な直方体状に形成されており、この偏平なシェル部材６の上下面は波形曲面に形成されている。尚、本実施形態では、波形曲面の全面にわたって、小さなリブ２ｂ，４ｂが多数形成されているが、リブ２ｂ，４ｂは必要に応じて設けるとよい。
【００１１】
シェル部材６には、入口管８と出口管１０とが一端側が外部に逆方向に開口して設けられている。図３、図４に示すように、入口管８には、その外周両側にそれぞれ上シェル部材２と下シェル部材４とが直接接触されて、入口管８がシェル部材６の内部に挿入されている。
【００１２】
入口管８は、シェル部材６の一方の側壁側に開口されると共に、反対側の側壁に突き当てられており、シェル部材６の内部は入口管８により、共鳴室１２と拡張室１４とに仕切られている。入口管８の外周と、上シェル部材２や下シェル部材４とは溶接等により接合されており、共鳴室１２は密閉された状態となるように形成されている。
【００１３】
入口管８の外周の半分は共鳴室１２に臨み、他の半分は拡張室１４に臨んでいる。共鳴室１２に臨んでいる入口管８の外周には、貫通孔１６が穿設されており、貫通孔１６を覆うようにして、入口管８の外周には、断面コ字状の通路部材１８が取り付けられている。また、拡張室１４に臨んでいる入口管８の外周には、多数の小孔２０が穿設されている。
【００１４】
本実施形態では、入口管８を反対側の側壁に突き当てて、共鳴室１２と拡張室１４とに仕切っているが、これに限らず、入口管８を反対側の側壁の近傍に至るまで挿入して、共鳴室１２を形成することなく、拡張室１４のみを形成するようにしてもよい。
【００１５】
出口管１０は、入口管８と平行に配置されており、出口管１０には、その外周両側にそれぞれ上シェル部材２と下シェル部材４とが直接接触されている。出口管１０は、入口管８とは逆方向からシェル部材６の内部に挿入されており、反対側の側壁の近傍に至るまで挿入されている。拡張室１４内の出口管１０の端と、シェル部材６の反対側の側壁との間には間隔が開けられて、拡張室１４内の排気が出口管１０に流入できるように構成されている。出口管１０の外周と、上シェル部材２や下シェル部材４とは溶接等により接合されている。
【００１６】
尚、本実施形態では、入口管８と出口管１０との両方の外周両側にシェル部材６を接触させたが、これに限らず、入口管８の外周、若しくは、出口管１０の外周の一方のみにシェル部材６を接触させた構成でも実施可能である。また、必要に応じて、隔壁板をシェル部材６の内部に設けるようにしてもよい。
【００１７】
次に、前述した本実施形態の内燃機関用マフラの作動について説明する。
入口管８に図示しない内燃機関からの排気が導かれると、通路部材１８と共鳴室１２とにより形成されるヘルムホルツの共鳴器の共鳴効果により、特定周波数の排気騒音が低減される。また、排気は入口管８の多数の小孔２０から拡張室１４に導かれる際、拡張効果や干渉効果により、高周波数の排気騒音が低減される。そして、拡張室１４内の排気は、出口管１０から外部の下流側の排気管に導かれる。
【００１８】
このように、入口管８により、シェル部材６の内部は、共鳴室１２と拡張室１４とに仕切られるので、シェル部材６の内部を仕切るための隔壁板等を設けなくても、入口管８を用いて仕切ることができるので、部品点数を低減できる。また、入口管８と出口管１０とが、シェル部材６に接触されて、接合されているので、扁平なシェル部材６の補強部材として働き、別途補強のための隔壁板等を設ける必要がなく、この点でも部品点数を低減できる。
【００１９】
また、隔壁板等を設ける必要がないので、組立作業が容易になる。更に、シェル部材６は、プレス成形された上シェル部材２と下シェル部材４とから形成できるので、シェル部材６を容易に形成できる。
【００２０】
以上本発明はこの様な実施形態に何等限定されるものではなく、本発明の要旨を逸脱しない範囲において種々なる態様で実施し得る。
【図面の簡単な説明】
【００２１】
【図１】本発明の一実施形態としての内燃機関用マフラの斜視図である。
【図２】本実施形態の内燃機関用マフラの拡大平面図である。
【図３】本実施形態の内燃機関用マフラの上シェル部材を取り除いた拡大平面図である。
【図４】図３のＡＡ断面図である。
【符号の説明】
【００２２】
１…内燃機関用マフラ  ２…上シェル部材
４…下シェル部材      ６…シェル部材
８…入口管            １０…出口管
１２…共鳴室          １４…拡張室
１６…貫通孔          １８…通路部材
２０…小孔
【図１】
2006009739.tif 000003
【図２】
2006009739.tif 000004
【図３】
2006009739.tif 000005
【図４】
2006009739.tif 000006